(57)【要約】【課題】  横倒しに置いても転がることなく安定した姿勢を保持する接眼レンズを提供する。【解決手段】  接眼レンズ１は、光学機器に用いられる、少なくとも一つのレンズ３と、レンズ３を保持する略円筒形状の本体２とを備え、本体２の最外周部３２に、光軸Ａに対して傾斜する略平面の面取り部３５を有することを特徴とする。これにより、簡易な構造を用いながらも接眼レンズ１の転がりを防止しつつ落下損傷等を防止することができる。【選択図】  図１
2015034946.tif 000002
【特許請求の範囲】
【請求項１】
光学機器に用いられる接眼レンズであって、
少なくとも一つのレンズと、
前記レンズを保持する略円筒形状の本体とを備え、
前記本体の最外周を構成する最外周部に、光軸に対して傾斜する略平面の面取り部を有する
ことを特徴とする接眼レンズ。
【請求項２】
前記面取り部は、前記光学機器に接続する側に傾斜する
ことを特徴とする請求項１に記載の接眼レンズ。
【請求項３】
前記本体の最外周部に、光軸を中心に円周を構成する円周部を有する
ことを特徴とする請求項１又は２に記載の接眼レンズ。
【請求項４】
前記面取り部は、前記本体の外周方向に等間隔に複数設けられる
ことを特徴とする請求項１から３のいずれか一つに記載の接眼レンズ。
【請求項５】
前記面取り部は、前記本体の外周方向に所定の間隔をあけて複数設けられる
ことを特徴とする請求項１から４のいずれか一つに記載の接眼レンズ。
【請求項６】
前記面取り部は、当該面取り部の延長平面が前記本体の他の部分の外周と接する程度に傾斜する
ことを特徴とする請求項１から６のいずれか一つに記載の接眼レンズ。
【請求項７】
前記本体の最外周部は、軟質部材により構成されている
ことを特徴とする請求項１から７のいずれか一つに記載の接眼レンズ。
【発明の詳細な説明】
【技術分野】
【０００１】
本発明は、光学機器などに用いられる接眼レンズに関する。
【背景技術】
【０００２】
光学機器として例えば、天体望遠鏡等に用いられる接眼レンズは、天体望遠鏡のレンズの焦点距離が固定されているため、所望の拡大倍率となるように焦点距離の異なるものが複数用意されており、用途や状況に応じて適宜交換して用いられる。例えば、天体望遠鏡の焦点距離が１０００ｍｍである場合に、焦点距離が１０ｍｍの接眼レンズを用いると拡大倍率が１００倍となり、焦点距離が２０ｍｍの接眼レンズを用いると、拡大倍率が５０倍となる。観察対象物によって最適な拡大倍率が異なるため、ユーザは、観察対象物に応じて複数の焦点距離の接眼レンズを使い分ける必要がある。
【０００３】
上述のような接眼レンズは、特許文献１に記載されているように、略円筒形状の本体の構造をなしている。したがって、天体望遠鏡の接眼レンズ取付け部分に軸方向が合致していれば、接眼レンズは、軸周方向のどの向きに回転させても、天体望遠鏡の接眼レンズ取付け部分に挿入可能とされている。
【先行技術文献】
【特許文献】
【０００４】
【特許文献１】特開２００９−４８０４８号公報
【発明の概要】
【発明が解決しようとする課題】
【０００５】
しかしながら、特許文献１に記載の技術では、接眼レンズが略円筒形状であり、接眼レンズを使用しない場合に作業台等の設置平面に横倒しで置くと転がってしまうため、軸方向に立てて保管する必要が生じる。通常、接眼レンズを保持するケースは、軸方向に立てて保管できるようになっているものが一般的である。しかし、そのようなケースがない場合、接眼レンズは、設置平面上において転がりやすい不安定な状態となってしまう。
【０００６】
また、接眼レンズは、天体観測のような暗所で用いる場合、上述のようなケースへの収納作業が難しく、例えば手じかなテーブルや作業台等の設置平面に横倒しで置かれる場合が多い。このような場合、接眼レンズは、僅かな傾斜であっても転がりやすい不安定な状態となってしまう。接眼レンズが転がってしまうと、暗所において接眼レンズを探すことが困難となり、また、作業台等から接眼レンズが落下して破損する等の問題も生じる。
【０００７】
本発明はかかる課題に鑑みてなされたものであり、その目的は、横倒しに置かれても転がりにくく、安定した状態を保持可能な接眼レンズを提供することを目的とする。
【課題を解決するための手段】
【０００８】
本発明のある態様は、光学機器に用いられる接眼レンズであって、少なくとも一つのレンズと、レンズを保持する略円筒形状の本体とを備え、本体の最外周を構成する最外周部に、光軸に対して傾斜する略平面の面取り部を有することを特徴とする。
【０００９】
このような態様によると、略平面の面取り部によって接眼レンズの姿勢を安定した状態で保持することができる。
【００１０】
本発明のある態様は、更に、面取り部は、光学機器に接続する側に傾斜することを特徴とする。
【００１１】
このような態様によると、略平面の面取り部によって接眼レンズの姿勢を、レンズ等の光学部品が集積される接眼部を上向きに保持することができ、接眼部側を適切に保護することができる。
【００１２】
本発明のある態様は、更に、本体の最外周部に、光軸を中心に円周を構成する円周部を有することを特徴とする。
【００１３】
このような態様によると、円周部が光軸を中心とする円周を形成するため他の光学機器と接続する際の連結治具の保持性を維持することができる。
【００１４】
本発明のある態様は、更に、面取り部は、本体の外周方向に等間隔に複数設けられることを特徴とする。
【００１５】
このような態様によると、面取り部が複数存在するため、外周方向に多く回転せずにすぐに面取り部と設置平面が当接し、接眼レンズの姿勢を安定保持することができる。
【００１６】
本発明のある態様は、更に、面取り部は、本体の外周方向に所定の間隔をあけて複数設けられることを特徴とする。
【００１７】
このような態様によると、互いの面取り部が重なる交線が最外周部に形成されないため交線が形成された場合と比較してより鋭利な角が発生せず、ユーザの使い勝手や保持性が良くなる。
【００１８】
本発明のある態様は、更に、面取り部は、面取り部の延長平面が本体の他の部分の外周と接する程度に傾斜することを特徴とする。
【００１９】
このような態様によると、面取り部の延長平面、すなわち接眼レンズの設置平面と本体の他の部分が接することとなり、接眼レンズが設置平面において重心バランスを面取り部でのみ保持する必要がなくなり接眼レンズの姿勢を安定保持することができる。
【００２０】
本発明のある態様は、更に、最外周部は、軟質部材により構成されていることを特徴とする。
【００２１】
このような態様によると、設置平面から受ける衝撃を軟質部材によって吸収することが可能となり、接眼レンズを衝撃から保護することができる。
【発明の効果】
【００２２】
本発明によると、略円筒形状の接眼レンズであっても、設置平面上において転がりにくく安定した姿勢状態を保持することができる。また、接眼レンズの転がりを防止することにより、接眼レンズの落下等を防止することができる。
【発明を実施するための形態】
【００２３】
以下、本発明を観察用光学機器の一つである天体望遠鏡用の接眼レンズに適用した例を用いて説明する。なお、本発明における接眼レンズとしては、天体望遠鏡用に限られず、例えば顕微鏡等にも用いることができ、本発明の目的を達成することができる接眼レンズを広く含むものとすることは言うまでもない。
【００２４】
まず、接眼レンズについて図１乃至図４を用いて簡単に説明する。図１及び図２は、接眼レンズ１を横倒しにした状態を側面から見た図であり、光軸Ａを中心に互いに３０度回転させた状態を示している。図３は、後述する最外周部３２を説明する平面図であり、光の入射方向から見た図である。図４は、図１における接眼レンズ１について光軸Ａを中心に紙面方向に切断した断面図を表している。
【００２５】
接眼レンズ１は、図１乃至図４に示すように、全体として略円筒形状の本体２と、本体２により保持されるレンズ３とから構成される。レンズ３は、少なくとも１枚のレンズからなり、レンズ３を保持する本体２の内部構造については、汎用技術であるため詳細な説明を省略する。
【００２６】
本体２は、図示しない天体望遠鏡の取付け部に挿入される接続部１０と、接続部１０の接眼側に連結した第１の中間部２０と、第１の中間部２０の接眼側に連結した第２の中間部３０と、第２の中間部３０の接眼側に連結した接眼部４０と、本体２内部のレンズ３を接眼側で保護する保護ガラス５０とにより構成されている。なお、接眼レンズ１は、光学性能を優先して保護ガラス５０を設けないようにしてもよい。
【００２７】
接続部１０は、光軸Ａを中心とする略円筒形状の構造を有し、硬質材料、例えばアルミニウム、真鍮、ステンレスのいずれか一つ又はこれらを複合した金属材料等により形成されている。接続部１０は、天体望遠鏡の取付け部に挿通され、図示しないネジ等によって天体望遠鏡に固定される部分である。接続部１０は、スリーブ部分を真鍮で構成し耐久性確保を図るとともに、第１の中間部２０と接合される部分は軽量化、加工容易とするためにアルミニウムを用いることが好ましい。
【００２８】
接続部１０は、天体望遠鏡の取付け側の端部にテーパー部１１を有しており、天体望遠鏡の取付け部に挿通しやすく、かつ、ユーザに対し鋭利な部分がむき出しとならないように加工されている。また、接続部１０は、第１の中間部２０と連結される連結部１２を有している。
【００２９】
第１の中間部２０は、光軸Ａを中心とする略円筒形状の構造を有し、硬質材料、例えばアルミニウム、真鍮、ステンレス、硬質樹脂等のいずれか一つ又はこれらを複合した材料により形成されている。第１の中間部２０は、円筒の内部に接続部１０の連結部１２が挿入されて接続部１０と連結されている。第１の中間部２０は、接続部１０よりも内径および外径ともに拡径された大きさを有しており、第２の中間部３０の外径よりも小径とされている。
【００３０】
第１の中間部２０は、天体望遠鏡の取付け側に端部にテーパー部２１と、接眼側に第２の中間部３０の外径との段差をつなぐテーパー部２２と、突き当て部２３とを有している。
【００３１】
第１の中間部２０は、天体望遠鏡の取付け部に突き当て部２３が当接し接眼レンズ１が固定されるようになっている。また、テーパー部２１およびテーパー部２２は、加工端が鋭利な角度を有しているとユーザが取り扱う際に引っかかってしまったり、加工端がむき出しの状態であると、この加工端と他の物体が接触した場合に衝撃が大きくなってしまうため、テーパー状に加工されたものである。なお、テーパー部２１およびテーパー部２２は、加工により形成されるものでも、金型等を使ってあらかじめテーパー状に形成されるものであってもよい。
【００３２】
第２の中間部３０は、光軸Ａを中心とする略円筒形状の構造を有し、例えばステンレスや樹脂により形成されている内周部３１と、光軸Ａを中心とする略円筒形状の構造を有し、内周部３１と比較して軟質材料、例えばゴム材料により形成されている最外周部３２とを有している。
【００３３】
第２の中間部３０は、接眼レンズ１において最大径を有するため、接眼レンズ１を設置平面等に横置きした場合には、設置平面に当接する部分である。
【００３４】
内周部３１は、第１の中間部２０と接眼部４０とにそれぞれ連結されており、最外周部３２の内周に位置している。なお、内周部３１と最外周部３２とは、一体成型としてもよいし、インサート成形、接着接合等により成形してもよい。また、図４において、内周部３１は、光軸Ａ方向に複数部材で形成しているが、製造上分離して形成することで組み立てを容易としている。
【００３５】
最外周部３２は、接眼レンズ１において最も外径が大きい部分を構成する。最外周部３２は、光軸Ａ方向の両端にテーパー部３３及びテーパー部３４と、接続部１０側に向かって、すなわち天体望遠鏡に接続する側に傾斜する少なくとも一つの面取り部３５と、面取り部３５のない円周部３６とを有している。
【００３６】
テーパー部３３及びテーパー部３４は、鋭利な角部をなくし、ユーザの取扱上、引っ掛かりを少なくするように設けられている。
【００３７】
面取り部３５は、接続部１０側に向かって傾斜し、接続部１０に向かって開く略楕円線を描くような断面を有する略平面部分である。
【００３８】
面取り部３５は、略平面であり設置平面と当接する。これにより、接眼レンズ１を設置平面上に横倒しで置いたとしても、転がらずに接眼レンズ１の姿勢を保持することができる。なお、接眼レンズ１の重心が面取り部３５に対応する部分にあることと、接眼レンズ１の姿勢が安定保持しやすくなるため好適である。また、面取り部３５は、接続部１０側に向かって傾斜するように構成されているため、レンズ３等の光学部品が集積される接眼部４０を上向きに保持することができ、接眼部４０側を適切に保護することができる。
【００３９】
なお、本発明の例では、円周状に６０度間隔で６個の面取り部３５が設けられているが、本体２の外周方向に等間隔に複数設けられていればよい。面取り部３５を多く設けることにより接眼レンズ１の姿勢を速やかに安定保持することができるが、面取り部３５の数が増えると、一つ当たりの平面の面積が小さくなり転がり防止機能が低下するため、６個程度が最も好ましい数である。なお、面取り部３５が複数存在するため、外周方向に多く回転せずにすぐに面取り部３５と設置平面が当接し、接眼レンズ１の姿勢を安定保持することができる。
【００４０】
面取り部３５は、図１、図３及び図４に示すように、接続部１０側で内周部３１の外径と同じ径まで面取りされており、接眼部４０側で円周部３６と同じ径まで面取りされている。
【００４１】
最外周部３２は、互いに隣接する面取り部３５の間に円周部３６が入り込む形で面取り部３５と円周部３６が分割されている。ただし、最外周部３２は、互いに隣接する面取り部３５が干渉するように設けてもよい。この場合には、面取り部３５の面積を広げることが可能となり、接眼レンズ１の転がりを抑止する効果を更に高めることができる。
【００４２】
なお、本発明の例によれば、互いの面取り部３５が干渉しないため、隣り合う面取り部３５同士の重なる交線が最外周部３２に形成されないため交線が形成された場合と比較してより鋭利な角が発生せず、ユーザの使い勝手や保持性を向上させることができる。
【００４３】
面取り部３５は、図１に示すように、その傾斜角が、面取り部３５の延長平面Ｐが接続部１０及び第１の中間部２０等の本体２の他の外周と略接するように定められている。面取り部３５の延長平面Ｐ、すなわち接眼レンズ１の設置平面と本体２の他の部分とが接することとなり、接眼レンズ１が設置平面において重心バランスを面取り部でのみ保持する必要がなくなり接眼レンズ１の姿勢を安定保持することができる。
【００４４】
なお、面取り部３５の傾斜をきつく設定してしまうと、延長平面Ｐが接続部１０や中間部２０を横切ることとなり、面取り部３５が設置平面から浮いてしまう。この場合、接眼レンズ１の姿勢は、面取り部３５の縁と、接続部１０と中間部２０等の外周で点で支持されることとなってしまう。この場合は、面取り部３５の平面部分で接眼レンズ１の姿勢を保持することができなくなり、転がりやすい状態になってしまう
【００４５】
また、面取り部３５の傾斜を緩やかにし、延長平面Ｐが接続部１０と中間部２０と接触しないようにしてもよい。接眼レンズ１を設置平面に横倒しに置いたときに、面取り部３５のみが設置平面と当接することとなり、衝撃を吸収し接眼レンズ１の耐衝撃性を向上させることができる。
【００４６】
また、最外周部３２は、軟質材料により構成されていることから、衝撃の吸収性は他の部位に比べ非常に高いと言える。最外周部３２は、設置平面と広範囲で接触するので設置平面側からの衝撃に対して接眼レンズ１を十分に保護することが可能となる。
【００４７】
円周部３６は、最外周部３２において、テーパー部３３、テーパー部３４及び面取り部３５を除いた範囲で光軸Ａを中心とする完全な円周を構成し、光軸Ａを中心とする円筒形状となるように形成されている。
【００４８】
円周部３６は、面取り部３５より接眼部４０側において、円筒形状となっている。したがって、円周部３６は、面取り部３５のように設置平面上において接眼レンズ１を安定保持する機能を有さないが、接眼レンズ１の最外周側で円筒形状の部分を残しているため、接眼レンズ１を他の光学機器と治具で保持連結する際に保持部分として利用でき、接眼レンズ１を他の光学機器と光軸ずれなく適切に連結することが可能となる。
【００４９】
具体的な例をあげて説明すると、天体望遠鏡を用いて天体写真を撮像しようとすると、接眼レンズ１の後方に図示しないカメラ装置、例えばＣＣＤ（Ｃｈａｒｇｅ  Ｃｏｕｐｌｅｄ  Ｄｅｖｉｃｅ）素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）素子を有するデジタルカメラ本体を連結することとなる。連結治具は、接眼レンズ１に固定される。その際に、円周部３６は、光軸を中心とする完全な同心円、円筒形状を有するため、その部分で連結治具が保持することにより光軸のずれがなくカメラ装置を連結することができる。言い換えると、連結治具は接眼レンズ１の外周が平面で形成されていると、光軸ずれがなくカメラ装置を連結することが困難となるため、円周部３６が安定保持のため必要となる。
【００５０】
なお、円周部３６は、接眼レンズ１において光軸Ａ中心から最も外周側にあり、力学的に最も小さい力で接眼レンズ１を保持することができる最適な部分でもあり、最も効果的な位置で他の光学機器と治具連結することができる。
【００５１】
以上、本発明の例をもとに説明した。本発明は上述した例の内容に限定されるものではなく、本発明の要旨の範囲内において種々に変形して実施をすることが可能である。上記は例示であり、それらの各構成要素の組み合わせにいろいろな変形例が可能なこと、またそうした変形例も本発明の範囲にあることは当業者に理解されるところである。
【図面の簡単な説明】
【００５２】
【図１】本発明の例にかかる接眼レンズを示す平面図である。
【図２】本発明の例にかかる接眼レンズを示す平面図である。
【図３】本発明の例にかかる接眼レンズを示す断面図である。
【図４】本発明の例にかかる接眼レンズの最外周部を示す平面図である。
【符号の説明】
【００５３】
１  接眼レンズ
２  本体
３  レンズ
１０  接続部
１１  テーパー部
１２  連結部
２０  第１の中間部
２１  テーパー部
２２  テーパー部
２３  突き当て部
３０  第２の中間部
３１  内周部
３２  最外周部
３３  テーパー部
３４  テーパー部
３５  面取り部
３６  円周部
４０  接眼部
５０  保護ガラス
Ａ  光軸
Ｐ  延長平面
【図１】
2015034946.tif 000003
【図２】
2015034946.tif 000004
【図３】
2015034946.tif 000005
【図４】
2015034946.tif 000006